(57)【要約】  【課題】  電源を入れた状態で操作パネルとキャビネット本体とを組み付ける場合であっても、組み付け時におけるスイッチの誤動作を未然に防止することができる操作ボタンを提供する。  【解決手段】  パネル部材１４と、パネル部材１４に設けてある操作部１１と、操作部１１を押し込み操作することにより生じるヒンジ部１３の変形に応動する作動部１２と、作動部１２に対設したスイッチ１５とを備える操作ボタンにおいて、操作部１１がパネル部材１４から所定量以上突出しないよう規制する規制部材１８を操作部１１に設けてあり、操作部１１に対して押し込み操作を行わない状態で、パネル部材１４と規制部材１８との間に空隙２０を有する、又は操作部１１による押し込み力を緩衝する緩衝部材を有する。【選択図】        図２
2005310560.tif 000002
【特許請求の範囲】
【請求項１】
パネル部材と、該パネル部材へ押し込み可能に突出させて設けてある操作部と、前記操作部を押し込み操作することにより生じるヒンジ部の変形に応動する作動部と、該作動部に対設した前記作動部に応動して作動するスイッチとを備える操作ボタンにおいて、前記操作部が前記パネル部材から所定量以上突出しないよう規制する規制部材を前記操作部に設けてあり、前記操作部に対して押し込み操作を行わない状態で、前記パネル部材と前記規制部材との間に空隙を有することを特徴とする操作ボタン。
【請求項２】
前記スイッチは、前記パネル部材と略直交する基板上に設けてあり、前記パネル部材に前記操作部及び前記作動部を組み付けた後、前記操作パネルと前記スイッチとを組み付ける場合、前記パネル部材が前記基板に対して傾斜することにより前記作動部が前記スイッチに接触したとき、前記スイッチにより押された前記作動部に応動して前記規制部材が前記空隙へ入り込むべくなしてあることを特徴とする請求項１記載の操作ボタン。
【請求項３】
パネル部材と、該パネル部材へ押し込み可能に突出させて設けてある操作部と、前記パネル部材と前記操作部とを連結するヒンジ部と、前記操作部を押し込み操作することにより生じる前記ヒンジ部の変形に応動する作動部と、該作動部に対設した前記作動部に応動して作動するスイッチとを備える操作ボタンにおいて、前記操作部が前記パネル部材から所定量以上突出しないよう規制する規制部材を前記操作部に設けてあり、前記パネル部材と前記規制部材との間に前記操作部による押し込み力を緩衝する緩衝部材を有することを特徴とする操作ボタン。
【請求項４】
前記スイッチは、前記パネル部材と略直交する基板上に設けてあり、前記パネル部材に前記操作部及び前記作動部を組み付けた後、前記操作パネルと前記スイッチとを組み付ける場合、前記パネル部材が前記基板に対して傾斜することにより前記作動部が前記スイッチに接触したとき、前記スイッチにより押された前記作動部に応動して前記規制部材が前記緩衝部材へ押し付けるべくなしてあることを特徴とする請求項３記載の操作ボタン。
【請求項５】
前記パネル部材が前記基板に対して傾斜することにより前記作動部が前記スイッチに接触したとき、前記スイッチが前記作動部を押す力の方が、前記作動部の応動による前記ヒンジ部の変形により生ずる力よりも大きいことを特徴とする請求項２又は４に記載の操作ボタン。
【発明の詳細な説明】
【技術分野】
【０００１】
本発明は、電子機器等に設ける操作ボタンに関し、より詳細には、操作ボタンの被操作面と、被操作面に対する押圧操作により作動するスイッチが配される基板とが互いに直交するよう配置してある操作ボタンの組み立て時の誤動作を防止するための構造に関する。
【背景技術】
【０００２】
電子機器等は、ユーザによる操作を容易にすべく、操作ボタンを前面パネルに集中させ、電子機器等の筐体を薄型に仕上げることが多い。この場合、多くの操作ボタンは、例えば特許文献１のように、前面パネルに設けてある操作部を押し込むことにより、押し込む方向と直交する方向に設けてあるスイッチを作動させる。
【０００３】
図５は、従来の操作ボタンの構成図であり、操作ボタンを取り付けてある操作パネルに垂直な方向の断面図である。操作ボタンは、操作部１が作動部２と連結しており、作動部２は、ヒンジ部３を介して操作パネル４の内面に接続されている。操作部１に対する押し込み操作の方向と、作動部２により作動するスイッチ５が配される基板６とは、略平行になるよう、すなわち操作部１が取り付けてある操作パネル４と基板６とが略直交するよう配置してある。
【０００４】
図５において、操作部１が押し込まれると、操作部１の被操作面と略直交するよう配置してある作動部２が、ヒンジ部３の歪みにより下方に変位する。作動部２が下方に変位することにより、操作部１が取り付けてある操作パネル４と略直交する基板６上に設けてあるスイッチ５を、作動部２が押し下げてクリックする。
【特許文献１】特開平１１−３１４３６号公報
【発明の開示】
【発明が解決しようとする課題】
【０００５】
しかし、上述した構成の操作ボタンを取り付ける製造工程において、下記のような問題点が生じる。すなわち、通常、基板を配したメインキャビネットに対して、操作ボタンを配した前面パネルを含む操作パネルを組み付ける場合、操作パネルに操作ボタン類を取り付け、メインキャビネットに基板を含めた配線を完了した後で組み付ける。したがって、操作パネルの組み付け部分とメインキャビネットとが略水平のまま、すなわち前面パネルとメインキャビネットとが略垂直な状態を維持しつつ正確に組み付けることができる場合、特に問題は生じないが、実際には、メインキャビネットに対して前面パネルが傾斜しつつ組み付けられることが多い。
【０００６】
この場合、前面パネルの傾斜方向及び傾斜角度によっては、操作ボタンが押し下げられない状態で、作動部２が基板に設けたスイッチを押し下げるおそれがある。したがって、電源を入れた状態で操作パネルとメインキャビネットとの組み付け作業を行う場合、斯かるスイッチの押し下げによる誤動作が発生するおそれがあるという問題点があった。
【０００７】
本発明は斯かる事情に鑑みてなされたものであり、電源を入れた状態で操作パネルとキャビネット本体とを組み付ける場合であっても、組み付け時におけるスイッチの誤動作を未然に防止することができる操作ボタンを提供することを目的とする。
【課題を解決するための手段】
【０００８】
上記目的を達成するために本発明に係る操作ボタンは、パネル部材と、該パネル部材へ押し込み可能に突出させて設けてある操作部と、前記操作部を押し込み操作することにより生じるヒンジ部の変形に応動する作動部と、該作動部に対設した前記作動部に応動して作動するスイッチとを備える操作ボタンにおいて、前記操作部が前記パネル部材から所定量以上突出しないよう規制する規制部材を前記操作部に設けてあり、前記操作部に対して押し込み操作を行わない状態で、前記パネル部材と前記規制部材との間に空隙を有することを特徴とする。
【０００９】
本発明では、操作部がパネル部材から所定の長さ以上突出しないよう規制する規制部材を操作部に設けてあり、操作部を指で押し込まない状態で、規制部材とパネル部材との間に、組み付け時の変形を吸収すべく空隙を設けてある。これにより、例えばパネル部材をメインキャビネットに組み付ける場合、パネル部材が基板に対して傾斜して、操作部とヒンジ部を介して応動する作動部によりスイッチが押されたときにおいても、操作部が規制部材とパネル部材との間の空隙方向に押し戻されることにより、スイッチを押し下げる圧力を吸収することができ、作動部によりスイッチが押し下げられない。したがって、電源を入れた状態でパネル部材をメインキャビネットに組み付ける場合であっても、組み付けによるスイッチの誤作動を未然に防止することが可能となる。
【００１０】
また、本発明に係る操作ボタンは、前記スイッチは、前記パネル部材と略直交する基板上に設けてあり、前記パネル部材に前記操作部及び前記作動部を組み付けた後、前記操作パネルと前記スイッチとを組み付ける場合、前記パネル部材が前記基板に対して傾斜することにより前記作動部が前記スイッチに接触したとき、前記スイッチにより押された前記作動部に応動して前記規制部材が前記空隙へ入り込むべくなしてあることを特徴とする。
【００１１】
本発明では、スイッチは、パネル部材と略直交する基板上に設けてあり、例えばパネル部材を基板を備えたキャビネットに組み付ける場合、パネル部材が基板に対して傾斜することにより作動部がスイッチに接触したときであっても、スイッチにより押された作動部に応動して規制部材が空隙へ入り込む。これにより、操作部が規制部材とパネル部材との間の空隙方向に押し戻されることにより、スイッチを押し下げる圧力を吸収することができ、作動部によりスイッチが押し下げられない。したがって、電源を入れた状態でパネル部材をメインキャビネットに組み付ける場合であっても、組み付けによるスイッチの誤作動を未然に防止することが可能となる。
【００１２】
また、本発明に係る操作ボタンは、パネル部材と、該パネル部材へ押し込み可能に突出させて設けてある操作部と、前記パネル部材と前記操作部とを連結するヒンジ部と、前記操作部を押し込み操作することにより生じる前記ヒンジ部の変形に応動する作動部と、該作動部に対設した前記作動部に応動して作動するスイッチとを備える操作ボタンにおいて、前記操作部が前記パネル部材から所定量以上突出しないよう規制する規制部材を前記操作部に設けてあり、前記パネル部材と前記規制部材との間に前記操作部による押し込み力を緩衝する緩衝部材を有することを特徴とする。
【００１３】
本発明では、操作部がパネル部材から所定の長さ以上突出しないよう規制する規制部材を操作部に設けてあり、操作部を指で押し込まない状態で、規制部材とパネル部材との間に、操作部による圧力を緩衝する緩衝部材を設けてある。これにより、例えばパネル部材をメインキャビネットに組み付ける場合、パネル部材が基板に対して傾斜して、操作部とヒンジ部を介して応動する作動部によりスイッチが押されたときにおいても、操作部が規制部材とパネル部材との間の緩衝部材へ押し付けられることにより、スイッチを押し下げる圧力を吸収することができ、作動部によりスイッチが押し下げられない。したがって、電源を入れた状態でパネル部材をメインキャビネットに組み付ける場合であっても、組み付けによるスイッチの誤作動を未然に防止することが可能となる。
【００１４】
また、本発明に係る操作ボタンは、前記スイッチは、前記パネル部材と略直交する基板上に設けてあり、前記パネル部材に前記操作部及び前記作動部を組み付けた後、前記操作パネルと前記スイッチとを組み付ける場合、前記パネル部材が前記基板に対して傾斜することにより前記作動部が前記スイッチに接触したとき、前記スイッチにより押された前記作動部に応動して前記規制部材が前記緩衝部材へ押し付けるべくなしてあることを特徴とする。
【００１５】
本発明では、スイッチは、パネル部材と略直交する基板上に設けてあり、例えばパネル部材を基板を備えたキャビネットに組み付ける場合、パネル部材が基板に対して傾斜することにより作動部がスイッチに接触したときであっても、スイッチにより押された作動部に応動して規制部材が緩衝部材へ押し付けられる。これにより、操作部が規制部材とパネル部材との間の緩衝部材へ押し付けられることにより、スイッチを押し下げる圧力を吸収することができ、作動部によりスイッチが押し下げられない。したがって、電源を入れた状態でパネル部材をメインキャビネットに組み付ける場合であっても、組み付けによるスイッチの誤作動を未然に防止することが可能となる。
【００１６】
また、本発明に係る操作ボタンは、前記パネル部材が前記基板に対して傾斜することにより前記作動部が前記スイッチに接触したとき、前記スイッチが前記作動部を押す力の方が、前記作動部の応動による前記ヒンジ部の変形により生ずる力よりも大きいことを特徴とする。
【００１７】
本発明では、パネル部材が基板に対して傾斜することにより、作動部がスイッチに接触した場合、スイッチが作動部を押す力の方が、作動部の応動によるヒンジ部の変形により生ずる力よりも大きい。これにより、例えばパネル部材とメインキャビネットとの組み付け時のパネル部材の基板に対する傾斜により、作動部がスイッチを押し下げるべく移動した場合であっても、スイッチにより作動部が押し上げられ、操作部が規制部材とパネル部材との間の空隙方向に押し戻されることにより、スイッチを押し下げる圧力を吸収することができ、作動部によりスイッチが押し下げられない。したがって、電源を入れた状態でパネル部材をメインキャビネットに組み付ける場合であっても、組み付けによるスイッチの誤作動を未然に防止することが可能となる。
【発明の効果】
【００１８】
本発明に係る操作ボタンによれば、例えばパネル部材をメインキャビネットに組み付ける場合、パネル部材が基板に対して傾斜して、操作部とヒンジ部を介して応動する作動部によりスイッチが押されたときにおいても、操作部が規制部材とパネル部材との間の空隙方向に押し戻される、又は規制部材とパネル部材との間の緩衝部材へ押し付けられることにより、スイッチを押し下げる圧力を吸収することができ、作動部によりスイッチが押し下げられない。したがって、電源を入れた状態でパネル部材をメインキャビネットに組み付ける場合であっても、組み付けによるスイッチの誤作動を未然に防止することが可能となる。
【発明を実施するための最良の形態】
【００１９】
以下、本発明をその実施の形態を示す図面に基づいて具体的に説明する。図１は、本発明の実施の形態に係る操作ボタンの構成図であり、操作ボタンを取り付けてある操作パネルに垂直な方向の断面図である。操作ボタンは、操作部１１が作動部１２と連結しており、作動部１２は、ヒンジ部１３を介して操作パネル１４の内面に接続されている。操作部１１に対する押し込み操作の方向と、作動部１２により作動するスイッチ１５が配置してある基板１６とは、略平行になるよう、すなわち操作部１１が取り付けてある操作パネル１４と基板１６とが略直交するよう配置してある。
【００２０】
図１において、操作部１１が押し込まれると、操作部１１が取り付けてある操作パネル１４と略直交するよう配置してある作動部１２が、ヒンジ部１３の歪みにより下方に変位する。作動部１２が下方に変位することにより、操作部１１が取り付けてある操作パネル１４と略直交する基板１６上に設けてあるスイッチ１５を、作動部１２が押し下げてクリックする。
【００２１】
操作部１１は、操作パネル１４から所定の長さ以上突出しないよう規制する規制部材１８を有する。本実施の形態では、操作部１１を指で押し込まない状態で、規制部材１８と操作パネル１４の内面との間に、所定幅の空隙２０を設けてある。
【００２２】
図２は、操作パネル１４とメインキャビネット１７との組み付け時の状態を示す断面図である。図２（ａ）に示すように、操作部１１を組みつけてある操作パネル１４を、作動部１２の移動によりオンオフするスイッチ１５を備えてあるメインキャビネット１７へ組み付ける。この場合、例えば操作パネル１４の突起部２１をメインキャビネット１７の凹部２２へ嵌合することにより組み付ける場合、操作パネル１４の下部材は、突起部２１が凹部２２に達するまではメインキャビネット１７により押し下げられる。
【００２３】
したがって、図２（ｂ）に示すように上部材が先にメインキャビネット１７の端部に達するように傾斜した場合、作動部１２はスイッチ１５の上面に接触する。ヒンジ部１３の弾性力がスイッチ１５を押し下げる圧力に対する反力より強い場合、スイッチ１５が押し下げられる。したがって、電源が入った状態で組みつけている場合、スイッチ１５は作動部１２により押し下げられ、スイッチ１５により誤作動を生じる。
【００２４】
しかし、本実施の形態では、スイッチ１５を押し下げる圧力に対する反力の方がヒンジ部１３の弾性力より大きくなるよう、スイッチ１５に用いる弾性部材の弾性係数を設定している。したがって、スイッチ１５からの反力により作動部１２が押し上げられる。作動部１２が押し上げられることにより、操作部１１の規制部材１８は、所定幅の空隙２０を埋めるように移動する。このように、所定幅の空隙２０は、操作パネル１４と基板を備えるメインキャビネット１７との組み付け時の変形を吸収する空間として機能する。
【００２５】
操作部１１の規制部材１８が、所定幅の空隙２０を埋めるように移動することで、操作パネル１４の内面による反力は作動部１２へ付与されず、作動部１２はスイッチ１５を押し下げない。
【００２６】
これにより、操作パネル１４をメインキャビネット１７に組み付ける場合、操作パネル１４が傾斜して、操作部１１とヒンジ部１３を介して応動する作動部１２によりスイッチ１５が押された場合であっても、操作部１１が規制部材１８と操作パネル１４の内面との間の空隙２０へと押し戻されることにより、スイッチ１５を押し下げる圧力を吸収することができ、作動部１２によりスイッチ１５を押し下げない。したがって、電源を入れた状態で操作パネル１４をメインキャビネット１７に組み付ける場合であっても、組み付けによるスイッチ１５の誤作動を未然に防止することが可能となる。
【００２７】
操作パネル１４と基板１６を備えるメインキャビネット１７との組み付け時の変形を吸収するためには、操作パネル１４と規制部材１８との間に空隙２０を設ける方法に限定されるものではなく、例えば緩衝部材を挿入する方法であってもよい。図３は、緩衝部材を用いる場合の操作ボタンの操作パネルに垂直な方向の断面図である。
【００２８】
図３において、操作部１１が押し込まれると、操作部１１が取り付けてある操作パネル１４と略直交するよう配置してある作動部１２が、ヒンジ部１３の歪みにより下方に変位する。作動部１２が下方に変位することにより、操作部１１が取り付けてある操作パネル１４と略直交する基板１６上に設けてあるスイッチ１５を、作動部１２が押し下げてクリックする。
【００２９】
図３では、操作部１１を指で押し込まない状態で、操作パネル１４と基板１６を備えるメインキャビネット１７との組み付け時の変形を吸収すべく、規制部材１８と操作パネル１４の内面との間に所定幅の緩衝部材３０を設けてある。
【００３０】
図４は、緩衝部材を用いる場合の操作パネル１４とメインキャビネット１７との組み付け時の状態を示す断面図である。図４（ａ）に示すように、操作部１１を組みつけてある操作パネル１４を、作動部１２の移動によりオンオフするスイッチ１５を備えてあるメインキャビネット１７へ組み付ける。この場合、例えば操作パネル１４の突起部２１をメインキャビネット１７の凹部２２へ嵌合することにより組み付ける場合、操作パネル１４の下部材は、突起部２１が凹部２２に達するまではメインキャビネット１７により押し下げられる。
【００３１】
したがって、図４（ｂ）に示すように上部材が先にメインキャビネット１７の端部に達するように傾斜した場合、作動部１２はスイッチ１５の上面に接触する。ヒンジ部１３の弾性力がスイッチ１５を押し下げる圧力に対する反力より強い場合、スイッチ１５が押し下げられる。したがって、電源が入った状態で組みつけている場合、スイッチ１５は作動部１２により押し下げられ、スイッチ１５により誤作動を生じる。
【００３２】
しかし、本実施の形態では、スイッチ１５を押し下げる圧力に対する反力の方がヒンジ部１３の弾性力より大きくなるよう、スイッチ１５に用いる弾性部材の弾性係数を設定している。したがって、スイッチ１５からの反力により作動部１２が押し上げられる。作動部１２が押し上げられることにより、操作部１１の規制部材１８は、操作パネル１４の内面との間に設けてある緩衝部材３０を押し付けるように移動する。このように、緩衝部材３０は、操作パネル１４と基板１６を備えるメインキャビネット１７との組み付け時の変形による圧力を緩衝する部材として機能する。
【００３３】
操作部１１の規制部材１８が、緩衝部材３０を押し付けるように移動することで、操作パネル１４の内面による反力は作動部１２へ付与されず、作動部１２はスイッチ１５を押し下げない。
【００３４】
これにより、操作パネル１４をメインキャビネット１７に組み付ける場合、操作パネル１４が傾斜して、操作部１１とヒンジ部１３を介して応動する作動部１２によりスイッチ１５が押された場合であっても、操作部１１が規制部材１８と操作パネル１４の内面との間の緩衝部材３０へ押し付けられることにより、スイッチ１５を押し下げる圧力を緩衝することができ、作動部１２によりスイッチ１５を押し下げない。したがって、電源を入れた状態で操作パネル１４をメインキャビネット１７に組み付ける場合であっても、組み付けによるスイッチ１５の誤作動を未然に防止することが可能となる。
【図面の簡単な説明】
【００３５】
【図１】本発明の実施の形態に係る操作ボタンの操作パネルに垂直な方向の断面図である。
【図２】操作パネルとメインキャビネットとの組み付け時の状態を示す断面図である。
【図３】緩衝部材を用いる場合の、本発明の実施の形態に係る操作ボタンの操作パネルに垂直な方向の断面図である。
【図４】緩衝部材を用いる場合の、操作パネルとメインキャビネットとの組み付け時の状態を示す断面図である。
【図５】従来の操作ボタンの操作パネルに垂直な方向の断面図である。
【符号の説明】
【００３６】
１１  操作部
１２  作動部
１３  ヒンジ部
１４  操作パネル（パネル部材）
１５  スイッチ
１６  基板
１７  メインキャビネット
１８  規制部材
２０  空隙
２１  突起部
２２  凹部
３０  緩衝部材
【図１】
2005310560.tif 000003
【図２】
2005310560.tif 000004
【図３】
2005310560.tif 000005
【図４】
2005310560.tif 000006
【図５】
2005310560.tif 000007